(57)【要約】【課題】対象物が小さくても、容易に混合型接着剤を塗布し、接着信頼性を向上した混合型接着剤の接着剤塗布装置およびその塗布方法を提供することを目的としている。【解決手段】ニードルバルブ１７が射出ノズル１５に与える衝撃と、ニードルバルブ１７が射出ノズル１５に溶液１２を充填させる充填圧力とによって、射出ノズル１５から溶液１２を射出しており、射出部１１は、互いに水平移動させて、一方の射出部１１から射出された一方の溶液１２に向かって、他方の射出部１１から他方の溶液１２を射出させるようにした構成である。【選択図】図１
2006035057.tif 000002
【特許請求の範囲】
【請求項１】
一方の射出部から一方の溶液を射出し、他方の射出部から他方の溶液を射出し、各々の前記溶液を接触させて反応させ、混合型接着剤として用いる接着剤塗布装置において、一方の前記射出部および他方の前記射出部には、前記溶液を貯留する貯留槽と、前記貯留槽に接続され、貯留された前記溶液を加温または冷却して射出する射出ノズルとを設け、前記貯留槽に貯留された一方の前記溶液の粘度と他方の前記溶液の粘度が略同一になるように、各々の前記溶液の温度を制御するとともに前記射出部に衝撃を与え、この衝撃によって前記射出ノズルから前記溶液を射出する接着剤塗布装置。
【請求項２】
一方の前記射出部および他方の前記射出部は、互いに水平移動させて、一方の前記射出部から射出された一方の前記溶液に向かって、他方の前記射出部から他方の前記溶液を射出させる請求項１記載の接着剤塗布装置。
【請求項３】
前記射出ノズルは前記貯留槽の下部に接続し、前記射出ノズルの上方から下方に向かって前記射出ノズルに衝撃を与えるとともに、前記射出ノズルに対向する前記貯留槽内の前記溶液を前記射出ノズル内に充填させるニードルバルブを設け、前記射出ノズルに与える衝撃と、前記溶液を前記射出ノズルに充填させる充填圧力とによって、前記射出ノズルから前記溶液を射出する請求項１記載の接着剤塗布装置。
【請求項４】
前記ニードルバルブは、垂直に配置するとともに、その先端面は水平に配置した請求項３記載の接着剤塗布装置。
【請求項５】
前記貯留槽には前記溶液を加圧流入させて補充しており、加圧流入時の流入圧力によって、前記貯留槽から前記射出ノズル内に前記溶液を充填させる請求項３記載の接着剤塗布装置。
【請求項６】
前記溶液を補充する際の流入圧力によって前記射出ノズル内に前記溶液が充填されるのを遮断する遮断弁を前記ニードルバルブに設けるとともに、前記ニードルバルブが前記射出ノズルに衝撃を与える際に遮断するようにした請求項５記載の接着剤塗布装置。
【請求項７】
前記射出ノズルから射出される溶液を通過センサーで検出するようにした請求項６の接着剤塗布装置。
【請求項８】
一方の射出部から一方の溶液を射出し、他方の射出部から他方の溶液を射出し、各々の前記溶液を接触させて反応させ、混合型接着剤として用いる接着剤塗布方法において、一方の前記射出部および他方の前記射出部には、前記溶液を貯留する貯留槽と、前記貯留槽に接続され、貯留された前記溶液を加温または冷却して射出する射出ノズルとを設け、前記貯留槽に貯留された一方の前記溶液の粘度と他方の前記溶液の粘度が略同一になるように、各々の前記溶液の温度を制御するとともに前記射出部に衝撃を与え、この衝撃によって前記射出ノズルから前記溶液を射出する接着剤塗布方法。
【発明の詳細な説明】
【技術分野】
【０００１】
本発明は、混合型接着剤を塗布する接着剤塗布装置およびその塗布方法に関するものである。
【背景技術】
【０００２】
以下、従来の混合型接着剤の接着剤塗布装置について図面を参照しながら説明する。
【０００３】
図５は従来の接着剤塗布装置の概略を示す概略図、図６は同接着剤塗布装置の射出部の拡大断面図である。
【０００４】
図５、図６において、従来の接着剤塗布装置は、一方の溶液１を射出する一方の射出部２と、他方の溶液１を射出する他方の射出部２とを備えた射出ヘッド３を備えている。接着が必要な対象物に対して、一方の射出部２から一方の溶液１を射出するとともに、他方の射出部２から他方の溶液１を射出している。射出するタイミングは、同時でも、ずれていてもよく、どちらにしても、射出された一方の溶液１と他方の溶液１とが、対象物上で互いに接触するように射出し、反応させることにより、混合型接着剤４として用いている。
【０００５】
一方の射出部２および他方の射出部２は、各々の射出部２から射出された溶液１が、互いに接触しやすいように、射出ヘッド３を水平移動させている。
【０００６】
なお、この出願の発明に関連する先行技術文献情報としては、例えば、特許文献１が知られている。
【特許文献１】特開昭６２−３０５７０号公報
【発明の開示】
【発明が解決しようとする課題】
【０００７】
上記構成では、射出ヘッド３に備えられた射出部２から射出する溶液１は放射状に広がりやすいので、対象物（図示せず）に付着させる溶液１の付着面積を小さくすることができず、対象物が小さい場合は、混合型接着剤４が対象物からはみ出る等、接着信頼性を向上できないという問題点を有していた。
【０００８】
本発明は上記問題点を解決するもので、対象物が小さくても、容易に混合型接着剤を塗布し、接着信頼性を向上した混合型接着剤の接着剤塗布装置およびその塗布方法を提供することを目的としている。
【課題を解決するための手段】
【０００９】
上記目的を達成するために本発明は、以下の構成を有する。
【００１０】
本発明は、特に、一方の射出部および他方の射出部には、溶液を貯留する貯留槽と、前記貯留槽に接続され、貯留された前記溶液を加温または冷却して射出する射出ノズルとを設け、前記貯留槽に貯留された一方の前記溶液の粘度と他方の前記溶液の粘度が略同一になるように、各々の前記溶液の温度を制御するとともに前記射出部に衝撃を与え、この衝撃によって前記射出ノズルから前記溶液を射出する構成である。
【００１１】
また、その塗布方法は、特に、貯留槽に貯留された一方の溶液の粘度と他方の溶液の粘度が略同一になるように、各々の前記溶液の温度を制御するとともに射出部に衝撃を与え、この衝撃によって射出ノズルから前記溶液を射出する方法である。
【発明の効果】
【００１２】
本発明は上記構成により、射出部に衝撃を与えるとともに、この衝撃によって、射出ノズルから溶液を射出するので、対象物に射出し付着させる溶液の付着面積を小さくでき、対象物が小さくても対象物から混合型接着剤がはみ出ることもなく、接着信頼性を向上できる。
【００１３】
特に、溶液を貯留した貯留槽を加温または冷却して、一方の溶液の粘度と他方の溶液の粘度を略同一にしているので、射出部に与えた衝撃によって溶液を射出ノズルから射出する際に、互いの溶液の射出量が大きく異なることがなく、射出された溶液の付着面積を略同一にし、効率的に反応させられるとともに、互いの溶液を安定的に射出できる。
【発明を実施するための最良の形態】
【００１４】
以下、本発明の一実施の形態における接着剤塗布装置およびその塗布方法について図面を参照しながら説明する。
【００１５】
図１は本発明の一実施の形態における接着剤塗布装置の射出ヘッドの断面図、図２は同接着剤塗布装置のニードルバルブを上方に可動させた状態を示す図１のＡ部の拡大断面図、図３は同接着剤塗布装置のニードルバルブを下方に可動させた状態を示す図１のＡ部の拡大断面図、図４は同接着剤塗布装置の概略を示す概略図である。
【００１６】
図１から図３において、本発明の一実施の形態における接着剤塗布装置は、一方の射出部１１から一方の溶液１２を射出し、他方の射出部１１から他方の溶液１２を射出し、各々の溶液１２を接触させて反応させ、混合型接着剤の塗布装置として用いる。
【００１７】
一方の射出部１１および他方の射出部１１には、溶液１２を貯留する貯留槽１３と、貯留された溶液１２を加温または冷却し、貯留槽に貯留された一方の溶液１２の粘度と他方の溶液１２の粘度が略同一になるように、各々の溶液１２の温度を制御する温度制御部１４と、貯留槽１３の下部に接続し、貯留された溶液１２を射出する射出ノズル１５とを設けている。
【００１８】
溶液１２は溶液槽１６から貯留槽１３に空気圧で加圧流入させて補充しており、加圧流入時の流入圧力によって、貯留槽１３から射出ノズル１５内にも溶液１２を充填させている。
【００１９】
射出部１１には、射出ノズル１５の上方から下方に向かって射出ノズル１５に衝撃を与えるとともに、射出ノズル１５に対向する貯留槽１３の溶液１２（図２のＢに相当）を射出ノズル１５内に充填させるニードルバルブ１７を設けている。
【００２０】
このニードルバルブ１７は垂直に配置するとともに、その先端面１９は水平に配置し、かつ、先端面１９には、溶液１２を補充する際の流入圧力によって、射出ノズル１５内に溶液１２が充填されるのを一時的に遮断する遮断弁１８を設けている。
【００２１】
そして、一方の射出部１１および他方の射出部１１は、ニードルバルブ１７が射出ノズル１５に与える衝撃と、ニードルバルブ１７が射出ノズル１５に溶液１２を充填させる充填圧力とによって、射出ノズル１５から溶液１２を射出している。射出部１１は、互いに水平移動させて、一方の射出部１１から射出された一方の溶液１２に向かって、他方の射出部１１から他方の溶液１２を射出させるようにしている。この際、溶液１２が射出状況を検出できるよう通過センサー２０を射出部１１の先端近傍に取り付けている。
【００２２】
このような接着剤塗布装置は、図４に示すように、装置の台座２１に載せられた対象物である部品２２に、射出部１１と溶液槽１６とを備えた射出ヘッド２３が左右に可動することにより、射出が行える。
【００２３】
上記構成により、射出部１１に衝撃を与えるとともに、この衝撃によって、射出ノズル１５から溶液１２を射出するので、対象物に射出し付着させる溶液１２の付着面積を小さくでき、対象物が小さくても対象物から混合型接着剤がはみ出ることもなく、接着信頼性を向上できる。
【００２４】
特に、溶液１２を貯留した貯留槽１３を加温または冷却して、一方の溶液１２の粘度と他方の溶液１２の粘度を略同一にしているので、射出部１１に与えた衝撃によって溶液１２を射出ノズル１５から射出する際に、互いの溶液１２の射出量が大きく異なることがなく、射出された溶液１２の付着面積を略同一にし、効率的に反応させられるとともに、互いの溶液１２を安定的に射出できる。
【００２５】
ここで、射出ノズル１５は貯留槽１３の下部に接続し、射出ノズル１５の上方から下方に向かって射出ノズル１５に衝撃を与えるとともに、射出ノズル１５に対向する貯留槽１３内の溶液１２を射出ノズル１５内に充填させるニードルバルブ１７を設け、射出ノズル１５に与える衝撃と、溶液１２を射出ノズル１５に充填させる充填圧力とによって、射出ノズル１５から溶液１２を射出しているので、より一層、上記効果を得ることができる。
【００２６】
また、一方の射出部１１および他方の射出部１１は、互いに水平移動させて、一方の射出部１１から射出された一方の溶液１２に向かって、他方の射出部１１から他方の溶液１２を射出させているので、射出される溶液１２が付着される付着位置の位置決めを的確に行える。
【００２７】
この際、ニードルバルブ１７は、垂直に配置するとともに、その先端面１９は水平に配置しているので、付着位置の位置決めをより正確に行えるとともに、安定的に溶液１２を射出ノズル１５から射出することができる。
【００２８】
さらに、貯留槽１３には溶液１２を加圧流入させて補充しており、加圧流入時の流入圧力によって、貯留槽から射出ノズル１５内に溶液１２を充填させるので、溶液１２の射出準備が円滑に行える。特に、溶液１２を補充する際の流入圧力によって射出ノズル１５内に溶液１２が充填されるのを遮断する遮断弁１８をニードルバルブ１７に設けるとともに、ニードルバルブ１７が射出ノズル１５に衝撃を与える際に遮断するようにしているので、溶液１２の射出準備（遮断時には射出ノズル１５内に溶液１２が充填されず、ニードルバルブ１７を上方に可動させて遮断を開放したら、射出ノズル１５内に溶液１２が充填される）をより円滑に行える。
【００２９】
温度制御部１４は加熱、又は冷却する機能とセンサーを有し、射出ノズル１５の先端近傍には、通過センサー２０を配置しているので、確実に交互塗布し、混合することが可能である。
【産業上の利用可能性】
【００３０】
以上のように本発明にかかる接着剤塗布装置およびその塗布方法は、対象物が小さくても、容易に混合型接着剤を塗布し、接着信頼性を向上できるので、各種電子機器等に用いる混合型接着剤の接着剤塗布装置および塗布方法として適用できる。
【図面の簡単な説明】
【００３１】
【図１】本発明の一実施の形態における接着剤塗布装置の射出部の断面図
【図２】同接着剤塗布装置のニードルバルブを上方に可動させた状態を示す図１のＡ部の拡大断面図
【図３】同接着剤塗布装置のニードルバルブを下方に可動させた状態を示す図１のＡ部の拡大断面図
【図４】同接着剤塗布装置の概略を示す概略図
【図５】従来の接着剤塗布装置の概略を示す概略図
【図６】同接着剤塗布装置の射出部の拡大断面図
【符号の説明】
【００３２】
１１  射出部
１２  溶液
１３  貯留槽
１４  温度制御部
１５  射出ノズル
１６  溶液槽
１７  ニードルバルブ
１８  遮断弁
１９  先端面
２０  通過センサー
２１  台座
２２  部品
２３  射出ヘッド
【図１】
2006035057.tif 000003
【図２】
2006035057.tif 000004
【図３】
2006035057.tif 000005
【図４】
2006035057.tif 000006
【図５】
2006035057.tif 000007
【図６】
2006035057.tif 000008